(57)【特許請求の範囲】
【請求項１】
浴室壁面に固定されたベース部材と、
前記ベース部材に対して着脱自在に取り付けられる壁面用機能部材と、を備えた浴室用機能部材の取付構造であって、
前記ベース部材には凹状嵌合部が形成され、
前記壁面用機能部材には、前記凹状嵌合部に挿入して嵌合する凸状嵌合部が形成され、前記凸状嵌合部の側端部側を基点として上下に回転可能な作用片部が設置されており、
前記壁面用機能部材は、前記凹状嵌合部および前記凸状嵌合部が嵌合している状態において、前記作用片部が前記凹状嵌合部の内面に当接した状態で、前記作用片部が前記凸状嵌合部と干渉することで前記作用片部が上下に回転できない状態となり、前記壁面用機能部材に外力が加わっても、前記凹状嵌合部から前記凸状嵌合部が外れないように前記凹状嵌合部と前記凸状嵌合部との嵌合を保持するロック機構と、
使用者が指で押動操作することによって、前記作用片部と前記凸状嵌合部とを干渉させなくすることで、前記作用片部を上下に回転可能な状態にし、前記ロック機構により前記凹状嵌合部と前記凸状嵌合部との嵌合を保持する状態を解除可能な操作部と、を備え、
使用者の指による前記操作部の押動操作が解除された際に、再び前記ロック機構によって前記凹状嵌合部と前記凸状嵌合部との嵌合が保持された状態となることを特徴とする浴室用機能部材の取付構造。
【請求項２】
前記ロック機構は、前記壁面用機能部材を前記ベース部材から取り外す際には、前記操作部を操作しなければ非ロック状態に切り替えられないことを特徴とする請求項１記載の浴室用機能部材の取付構造。
【請求項３】
前記操作部は、前記壁面用機能部材における前記凹状嵌合部または前記凸状嵌合部の側端部に設けられていることを特徴とする請求項１又は２に記載の浴室用機能部材の取付構造。
【請求項４】
前記操作部および前記ロック機構は、前記壁面用機能部材における前記凹状嵌合部または前記凸状嵌合部の両側端部に設けられていることを特徴とする請求項３記載の浴室用機能部材の取付構造。
【発明の詳細な説明】
【技術分野】
【０００１】
本発明は、浴室壁面に設けられたベース部材に対して、壁面用機能部材を着脱自在に取り付け可能な浴室用機能部材の取付構造に関する。
【背景技術】
【０００２】
特許文献１には、浴室の壁面に支持レールが水平状に取り付けられ、支持レールに対して棚、シャワーフック、歯ブラシ入れ、小物入れ、石鹸置きなどの壁面用機能部材が着脱自在に係止できるようにした浴室ユニットが開示されている。
【０００３】
特許文献２には、壁面に対して固定されるベース部材と、このベース部材に対して着脱自在に係合する棚部材とを備えたサポートカウンタが開示されている。更に、棚部材の取付部には上脚と下脚とが形成され、ベース部材の溝部には前記上脚が嵌まる上溝と、前記下脚が嵌まる下溝とが形成されているため強固に棚部材をベース部材に対して取り付けできる点が開示されている。
【先行技術文献】
【特許文献】
【０００４】
【特許文献１】特開２００３−９７０６９号公報
【特許文献２】特開２００５−２４５９４８号公報
【発明の概要】
【発明が解決しようとする課題】
【０００５】
特許文献１の浴室ユニットでは、支持レールに対して壁面用機能部材を容易に着脱できるという点で優れているが、例えばシャワーホースなどが壁面用機能部材に当たった場合には不意に係合が外れる場合があった。
【０００６】
特許文献２のサポートカウンタでは、棚部材をベース部材に対して強固に取り付けられるため、シャワーホースが軽く当たった程度では係合が外れにくい構造になっているが、強固に固定されている分、逆に棚部材が容易に着脱できないという欠点があった。
【０００７】
本発明は上述した課題に鑑みてなされたものであり、シャワーホースなどが当たっても壁面用機能部材の嵌合が外れることなく、且つ容易に壁面用機能部材を着脱できる浴室用機能部材の取付構造を提供することを目的とする。
【課題を解決するための手段】
【０００８】
上記課題を解決するために本発明に係る浴室用機能部材の取付構造は、浴室壁面に固定されたベース部材と、前記ベース部材に対して着脱自在に取り付けられる壁面用機能部材と、を備えた浴室用機能部材の取付構造であって、前記ベース部材には凹状嵌合部が形成され、前記壁面用機能部材には、前記凹状嵌合部に挿入して嵌合する凸状嵌合部が形成され、前記凸状嵌合部の側端部側を基点として上下に回転可能な作用片部が設置されており、前記壁面用機能部材は、前記凹状嵌合部および前記凸状嵌合部が嵌合している状態において、前記作用片部が前記凹状嵌合部の内面に当接した状態で、前記作用片部が前記凸状嵌合部と干渉することで前記作用片部が上下に回転できない状態となり、前記壁面用機能部材に外力が加わっても、前記凹状嵌合部から前記凸状嵌合部が外れないように前記凹状嵌合部と前記凸状嵌合部との嵌合を保持するロック機構と、使用者が指で押動操作することによって、前記作用片部と前記凸状嵌合部とを干渉させなくすることで、前記作用片部を上下に回転可能な状態にし、前記ロック機構により前記凹状嵌合部と前記凸状嵌合部との嵌合を保持する状態を解除可能な操作部と、を備え、使用者の指による前記操作部の押動操作が解除された際に、再び前記ロック機構によって前記凹状嵌合部と前記凸状嵌合部との嵌合が保持された状態となることを特徴とする。
【０００９】
本発明によれば、ベース部材および壁面用機能部材に凹状嵌合部と凸状嵌合部とが形成されているため壁面用機能部材をベース部材に対して着脱可能にすることができる。また、壁面用機能部材には、ロック機構と操作部とが備えられているため、操作部によってロック機構をロック状態にすれば、シャワーホースなどが壁面用機能部材に当たっても、嵌合状態が外れることはない。さらに、操作部によってロック機構を非ロック状態にすれば容易に嵌合状態を解除することができる。つまり、着脱時のみロック機構を非ロック状態にし、着脱時以外はロック状態にすることで、強固に壁面用機能部材を取り付けることができ、且つ着脱作業性を向上させることが可能となる。
【００１０】
尚、本発明で示す壁面用機能部材とは、浴室壁面に取り付けられる備品であり、物を載置可能なカウンター、シャワーヘッドを保持可能なシャワーフック、シャワーホースを保持可能なホースフック、小物を収納可能な収納棚などが挙げられる。
【００１１】
更に本発明では、前記ロック機構は、前記壁面用機能部材を前記ベース部材から取り外す際には、前記操作部を操作しなければ非ロック状態に切り替えられないことが好ましい。
【００１２】
この好ましい態様では、嵌合状態にある壁面用機能部材に対してシャワーホースなどが当たって不意に嵌合が外れることがないようにすることができる。つまり、操作部を操作することなく壁面用機能部材を取り外そうとしても、嵌合状態が解除されることはない。
【００１３】
更に本発明では、前記操作部は、前記壁面用機能部材における前記凹状嵌合部または前記凸状嵌合部の側端部に設けられていることが好ましい。
【００１４】
この好ましい態様では、操作部が上面側に露出しないため見た目をスッキリすることができる。また、嵌合位置の近くに操作部を配置できるため、操作部およびロック機構を簡素化できる。
【００１５】
更に本発明では、前記操作部および前記ロック機構は、前記壁面用機能部材における前記凹状嵌合部または前記凸状嵌合部の両側端部に設けられていることが好ましい。
【００１６】
この好ましい態様では、壁面用機能部材がカウンターなどの大物である場合に特に適しており、必ず両手で操作部を操作しなければロック状態が解除されないため、自然と使用者は両手で壁面用機能部材も持つことにつながり、水などで手が滑って壁面用機能部材を落としてしまうような事態を防止できる。
【発明の効果】
【００１７】
本発明によれば、シャワーホースなどが当たっても壁面用機能部材の係合が外れることなく、且つ容易に壁面用機能部材を着脱できる浴室用機能部材の取付構造を提供することができる。
【図面の簡単な説明】
【００１８】
【図１】本発明に係る浴室ユニットを摸式的に表す斜視図である。
【図２】ベース部材に壁面用機能部材が取り付けられた状態を表す断面図である。
【図３】壁面用機能部材のロック機構を表す分解斜視図である。
【図４】壁面用機能部材のロック機構を表す分解斜視図である。
【図５】壁面用機能部材のロック機構が取り付けられた状態を表す斜視図である。
【図６】ベース部材に対して壁面用機能部材を着脱する際の途中状態を表す断面図である。
【図７】ベース部材に対して壁面用機能部材が取り付けられた状態を表す断面図である。
【発明を実施するための形態】
【００１９】
以下、添付図面を参照しながら本発明の実施形態について説明する。説明の理解を容易にするため、各図面において同一の構成要素に対しては可能な限り同一の符号を付して、重複する説明は省略する。
【００２０】
図１に示すように、本実施形態における浴室ユニットの洗い場側壁面には、シャワーホースが接続された水栓部材１０と、水栓部材１０の下方に配置され、横幅の長いベース部材２０と、が固定されている。また、水栓部材１０とベース部材２０との間には、給水・給湯配管を収納するための配管カバー３０が取り付けられている。さらにベース部材２０には洗面器を載置可能な洗面器置台４０１と、シャワーヘッドを保持するシャワーフック４０２と、シャワーホースを保持するホースフック４０３とが着脱可能に取り付けられている。
【００２１】
上述した洗面器置台４０１、シャワーフック４０２、およびホースフック４０３は、それぞれ機能的には異なるが、ベース部材２０に対する取付構造は共通であるため、説明の便宜上、以下、壁面用機能部材４０と総称して説明する。
【００２２】
図２に示すように、ベース部材２０の上面は、平面状に形成されており、物を載置可能なカウンター面として機能する。また、ベース部材２０の前端部には、幅方向全体に亘って前方側に開口した凹状嵌合部２１が形成されている。凹状嵌合部２１内は、全体が滑らかな曲面状に形成されており、上面奥側には、上面他部に比べて上方に窪んだ窪み部２２が幅方向全体に亘って形成されている。
【００２３】
一方、壁面用機能部材４０の後端部には凹状嵌合部２１内に挿脱可能に嵌合される凸状嵌合部４１が形成されている。凸状嵌合部４１は先端に向って斜め上方に傾斜しており、上面先端部側には、上面他部に比べて上方に膨出した膨出部４２が形成されている。
【００２４】
尚、ベース部材２０に設けられた凹状嵌合部２１内の最小となる開口高さｈ１は、壁面用機能部材４０に設けられた凸状嵌合部４１の最大となる厚み高さｈ２よりも僅かに大きくなるように形成されている。
【００２５】
また、図３、図４に示すように壁面用機能部材４０の両側端部には、ロック機構４５が備えられている。ロック機構４５は、壁面用機能部材４０に対して接着剤などによって強固に固定される軸受部材４６と、軸受部材４６に対して係合して取り付けられるレバー部材４７とから構成されている。軸受部材４６には軸受孔４８が形成されており、レバー部材４７には軸受孔４８内に挿入して係止される係止軸４９が形成されている。
【００２６】
図５に示すように、レバー部材４７は係止軸４９を支点としてシーソー状に動作するとともに、係止軸４９を中心に回転動作可能に取り付けられている。また、レバー部材４７には、使用者が押動可能で、ロック状態と非ロック状態とを切り替え操作可能な操作部５０と、操作部５０の動きによって、凸状嵌合部４１の側面と当接した位置と、離間した位置とに変位する作用片部５１とが形成されている。つまり、使用者が操作部５０を押動した場合には、係止軸４９を支点として作用片部５１が凸状嵌合部４１の側面と離間した位置になり、操作部５０を押動していない場合には、作用片部５１が凸状嵌合部４１の側面と当接した位置になる。
【００２７】
また、作用片部５１は、操作部５０が押動されていない場合には、係止軸４９を中心に回転できないようになっており、操作部５０が押動されている場合には、係止軸４９を中心に回転可能になっている。具体的に説明すると、操作部５０が押動されていない時には、凸状の段差部４４があることにより、作用片部５１が回転移動しようとする際に段差部４４と干渉し、作用片部５１の回転移動が規制されるようになっている。一方、操作部５０が押動されている時には、作用片部５１は段差部４４と干渉しない位置まで凸状嵌合部４１の側面から離間されるため、作用片部５１が自在に回転可能になっている。
【００２８】
尚、操作部５０が押動されていない状態の時、作用片部５１の一部は、凸状嵌合部４１よりも下方に突出した位置に配置されるようになっている。この操作部５０が押動されていない状態における凸状嵌合部４１および作用片部５１の最大となる高さｈ３は、上述した凹状嵌合部２１内の最小となる開口高さｈ１よりも大きくなるように形成されている。
【００２９】
次に、ベース部材２０に対して本ロック機構４５を備えた壁面用機能部材４０を取り付ける際の作用を説明する。まず、レバー部材４７の操作部５０を押動させて作用片５１を段差部４４と干渉しない位置まで離間させる。同時に、図６に示すように、壁面用機能部材４０を斜めに傾けて凸状嵌合部４１をベース部材２０の凹状嵌合部２１内に挿入する。この時、作用片部５１が凹状嵌合部２１と当たるタイミングがあるが、作用片部５１は外力が加わると係止軸４９を中心として挿入する際に邪魔にならない位置に回転移動することになる。つまり、操作部５０が押動されている状態における凸状嵌合部４１および作用片部５１の最大となる高さｈ４が、上述した凹状嵌合部２１内の最小となる開口高さｈ１よりも小さくなるように変形する。次いで、膨出部４２を窪み部２２に当接させるために奥側に押し込みながら上面が水平になるように回動させて所定位置に取り付けた後、操作部５０から手を離す。使用者が操作部５０から手を離すと、図７に示すように、作用片５１は、凸状嵌合部４１と当接する位置に自然と戻ることになる。以上の通り、ロック機構４５を設けることにより壁面用機能部材４０をベース部材２０に対して、容易に取り付けることが可能となっている。
【００３０】
壁面用機能部材４０は、着脱操作する時以外は、操作部５０が押動されていない状態にある。この時の凸状嵌合部４１および作用片部５１の最大となる高さは上述したｈ３となっており、上述した凹状嵌合部２１内の最小となる開口高さｈ１よりも大きくなっている。つまり、壁面用機能部材４０に対して、シャワーホースが当たったり、使用者の体の一部が当たったりして、大きな外力が加わった場合であっても、壁面用機能部材４０は強固に嵌合されているため、ベース部材２０からは絶対に外れることはない。
【００３１】
次に、ベース部材２０に対して本ロック機構４５を備えた壁面用機能部材４０を取り外す際の作用を説明する。まず、レバー部材４７の操作部５０を押動させて作用片５１を段差部４４と干渉しない位置まで離間させる。同時に、図６に示すように、壁面用機能部材４０を回転させながら、凸状嵌合部４１をベース部材２０の凹状嵌合部２１内から引き抜く。この時、作用片部５１が凹状嵌合部２１と当たるタイミングがあるが、作用片部５１は外力が加わると係止軸４９を中心として挿入する際に邪魔にならない位置に回転移動することになる。つまり、操作部５０が押動されている状態における凸状嵌合部４１および作用片部５１の最大となる高さｈ４が、上述した凹状嵌合部２１内の最小となる開口高さｈ１よりも小さくなるように変形するため、壁面用機能部材４０をベース部材２０から、容易に取り外しすることが可能となっている。
【００３２】
以上の通り、本実施形態によれば、ベース部材２０および壁面用機能部材４０に凹状嵌合部２１と凸状嵌合部４１とが形成されているため壁面用機能部材４０をベース部材２０に対して着脱可能にすることができる。また、壁面用機能部材４０には、ロック機構４５と、ロック機構４５を操作する操作部５０とが備えられているため、操作部５０によってロック機構４５をロック状態にすれば、シャワーホースなどが壁面用機能部材４０に当たっても、嵌合状態が外れることはない。さらに、操作部５０によってロック機構４５を非ロック状態にすれば容易に嵌合状態を解除することができる。つまり、着脱時のみロック機構４５を非ロック状態にし、着脱時以外はロック状態にすることで、強固に壁面用機能部材４０を取り付けることができ、且つ着脱作業性を向上させることが可能となる。
【００３３】
また、操作部５０が壁面用機能部材４０における凸状嵌合部４１の側端部に設けられているため、操作部５０が上面側に露出しないため見た目をスッキリすることができる。また、嵌合位置の近くに操作部５０を配置できるため、操作部５０およびロック機構４５を簡素化できる。
【００３４】
また、操作部５０が壁面用機能部材４０における凸状嵌合部４１の両側端部に設けられているため、壁面用機能部材４０がカウンター４０１などの大物である場合に特に適しており、必ず両手で操作部５０を操作しなければロック状態が解除されないため、自然と使用者は両手で壁面用機能部材５０を持つことにつながり、水などで手が滑って壁面用機能部材４０を落としてしまうような事態を防止できる。また、両側端部にロック機構４５を設けるようにすることで、壁面用機能部材４０をより強固にベース部材２０に固定することができる。
【００３５】
また、ロック状態にある時の操作部５０が、壁面用機能部材４０の側面に対して突出した位置に配置されるようにすると、操作部５０を手で探す際の手掛かりとなり、さらに着脱作業性を向上させることができる。
【００３６】
尚、上述した実施形態によれば、必ずしも、操作部５０を押動させなくても壁面用機能部材４０をベース部材２０に対して取り付けることも可能である。つまり、壁面用機能部材４０をベース部材２０に取り付ける時、作用片５１の先端が凹状嵌合部２１とぶつかり、作用片５１の先端から係止軸方向に向かった外力が働く。こうすると、作用片５１は壁面用機能部材４０の側面から離間することになる。作用片５１が段差部４４と干渉しない位置まで変形すれば、自然と、作用片５１は取り付けの邪魔にならない位置に回転移動されることとなり、操作部５０を押動させなくても壁面用機能部材４０をベース部材２０に対して取り付けることができる。逆に、壁面用機能部材４０をベース部材２０から取り外す時は、必ず操作部５０を押動させる必要がある。仮に、操作部５０を押動させずに壁面用機能部材４０をベース部材２０から取り外そうとしても、作用片５１の下端縁が凹状嵌合部２１とぶつかることになるため、作用片５１は壁面用機能部材４０の段差部４４に向かった外力が働く。結果として、作用片５１は壁面用機能部材４０の側面から離間させるように外力が加わらず、取り外しすることはできない。
【００３７】
尚、上述した実施形態においては、壁面用機能部材４０に凸状嵌合部４１を設け、ベース部材２０に凹状嵌合部２１を設けているが、逆に、壁面用機能部材に凹状嵌合部を設け、ベース部材に凸状嵌合部を設けるようにしても良い。ただし、この場合も、軸受部材、レバー部材からなるロック機構は、壁面用機能部材に設けることが好ましい。
【符号の説明】
【００３８】
１０…水栓部材、２０…ベース部材、２１…凹状嵌合部、２２…窪み部、３０…配管カバー、４０…壁面用機能部材、４１…凸状嵌合部、４２…膨出部、４４…段差部、４５…ロック機構、４６…軸受部材、４７…レバー部材、４８…軸受孔、４９…係止軸、５０…操作部、５１…作用片部、４０１…洗面器置台、４０２…シャワーフック、４０３…ホースフック、
【図１】
0006012004.tif 000002
【図２】
0006012004.tif 000003
【図３】
0006012004.tif 000004
【図４】
0006012004.tif 000005
【図５】
0006012004.tif 000006
【図６】
0006012004.tif 000007
【図７】
0006012004.tif 000008